(57)【特許請求の範囲】
【請求項１】
撮影用開口を有するシャッタ地板と、
露光作動時にセット位置からバネにより作動させられ先羽根群を駆動する先羽根駆動部材と、
露光作動時にセット位置からバネにより作動させられ後羽根群を駆動する後羽根駆動部材と、
前記先羽根駆動部材及び前記後羽根駆動部材を、各々、前記セット位置で保持させるように係止する第１の係止部材及び第２の係止部材と、
正転時には前記先羽根駆動部材及び前記後羽根駆動部材を前記各バネの付勢力に抗して前記各係止部材に保持される前記セット位置まで移動させ、逆転時には前記第１の係止部材に当接した後に前記第２の係止部材に当接し前記各羽根駆動部材を係止状態から順に解除して露光作動させるセット部材と、
前記シャッタ地板に対して固定されており前記セット部材を正逆転させる電磁アクチュエータとを含んでいることを特徴とするカメラ用フォーカルプレンシャッタ。
【請求項２】
前記逆転時において、前記電磁アクチュエータへの通電を制御して、前記第１の係止部材による係止状態を解除させる時機と、前記第２の係止部材による係止状態を解除させる時機とを変化させるために通電時間若しくはパルス間隔を可変させる制御回路を更に備えたことを特徴とする請求項１記載のカメラ用フォーカルプレンシャッタ。
【請求項３】
前記電磁アクチュエータと前記セット部材との間に伝達手段を介在させたことを特徴とする請求項１又は２に記載のカメラ用フォーカルプレンシャッタ。
【請求項４】
前記電磁アクチュエータは、前記セット部材を直接駆動させることを特徴とする請求項１又は２に記載のカメラ用フォーカルプレンシャッタ。
【発明の詳細な説明】
【０００１】
【発明の属する技術分野】
本発明は、電磁アクチュエータを利用して、後羽根群と先羽根群とを露光走行させるようにしたカメラ用フォーカルプレンシャッタに関するものである。
【０００２】
【従来の技術】
従来、このような分野の技術として、特開昭６２−９６９３４号公報が知られている。この公報に記載されたフォーカルプレンシャッタは、シャッタ地板に設けられた撮影用開口を開閉させる先羽根と後羽根とを有し、先羽根及び後羽根の駆動源にはモータが利用されている。そして、先羽根は、カムと歯車とリンクとの組み合わせからなる動伝達機構を介してモータに連結され、後羽根も同様の動伝達機構を介してモータにそれぞれ連結されている。このように、前述したシャッタは、先羽根と後羽根とをモータの回転制御によって開閉させる構成を採用している。
【０００３】
【発明が解決しようとする課題】
しかしながら、前述した従来のフォーカルプレンシャッタには、次のような課題が存在していた。すなわち、このモータは、先羽根や後羽根の駆動源として利用されるばかりでなく、フィルム送り等の駆動源としても利用されるものであり、複雑な各機構の駆動源として利用されている。従って、モータをカメラ全体の駆動源として利用する結果、シャッタ装置自体を単体として構成させ難く、モータと各機構との連結を配慮する関係上、シャッタ装置をカメラに組み込み難いといった問題点があった。
【０００４】
本発明は、上述の課題を解決するためになされたもので、カメラに組み込み易いカメラ用フォーカルプレンシャッタを提供することを目的とする。
【０００７】
【課題を解決するための手段】
請求項１に係る本発明のカメラ用フォーカルプレンシャッタは、撮影用開口を有するシャッタ地板と、露光作動時にセット位置からバネにより作動させられ先羽根群を駆動する先羽根駆動部材と、露光作動時にセット位置からバネにより作動させられ後羽根群を駆動する後羽根駆動部材と、先羽根駆動部材及び後羽根駆動部材を、各々、セット位置で保持させるように係止する第１の係止部材及び第２の係止部材と、正転時には先羽根駆動部材及び後羽根駆動部材を各バネの付勢力に抗して各係止部材に保持されるセット位置まで移動させ、逆転時には第１の係止部材に当接した後に第２の係止部材に当接し各羽根駆動部材を係止状態から順に解除して露光作動させるセット部材と、シャッタ地板に対して固定されておりセット部材を正逆転させる電磁アクチュエータとを含んでいることを特徴とする。
【０００８】
このカメラ用フォーカルプレンシャッタにおいて、正逆転する電磁アクチュエータは、セット部材の駆動にのみ利用されるものであるから、複雑な機構を介在させることなく各羽根を精度良く駆動させることができる。そして、電磁アクチュエータを利用する結果、セット部材の制御が容易となる。しかも、電磁アクチュエータをシャッタ地板に固定させることで、フォーカルプレンシャッタ自体をそれ単体で構成させることを可能にする。従って、カメラ内へのシャッタの組み付け性が向上し、シャッタ自体の汎用性が高められる結果として、コストの低減及び組付け作業性の向上が図られることになる。また、セット部材を利用したセット時においては、各係止部材で各羽根駆動部材を係止させておき、セット部材を利用したセット解除時においては、羽根駆動部材と係止部材との係止状態を解除させるものである。このような構成によって、各羽根駆動部材をセット位置に保持させる際に電磁石が利用されず、電磁石を利用する際に起こるシャッタ装置自体の大型化や部品点数の増加が改善されることになる。また、各羽根駆動部材を吸着保持させる場合、カメラに加わる衝撃によってその吸着が強制的に解除されることがあり、予期せぬシャッタの開閉が発生することになる。更に、電磁石にはホコリが付着し易く、そのことで吸着不良が発生することがあり、このような事態を回避させる上でも有効である。
【０００９】
請求項２記載のカメラ用フォーカルプレンシャッタにおいて、逆転時において、電磁アクチュエータへの通電を制御して、第１の係止部材による係止状態を解除させる時機と、第２の係止部材による係止状態を解除させる時機とを変化させるために通電時間若しくはパルス間隔を可変させる制御回路を更に備えると好ましい。この場合、電磁アクチュエータをセット部材の駆動源として採用する結果、先羽根と後羽根との協働によるスリット露光を達成させるにあたって、制御回路によって、第１の係止部材による係止解除時機と第２の係止部材による係止解除時機とを適宜に変更することができる。従って、このことは、汎用性の向上に寄与するものである。
【００１０】
請求項３記載のカメラ用フォーカルプレンシャッタにおいて、電磁アクチュエータとセット部材との間に伝達手段を介在させると好ましい。この場合、歯車列などの伝達手段を利用することで、セット部材から離れた場所に電磁アクチュエータを配置させることができる。従って、電磁アクチュエータをシャッタ地板に対して固定させた際、シャッタ地板上での空きスペースを有効活用することができ、シャッタ自体の小型化に寄与する。さらに、歯車列を利用することで、セット部材の回転速度の設定を容易に変更することができる。
【００１１】
請求項４記載のカメラ用フォーカルプレンシャッタにおいて、電磁アクチュエータは、セット部材を直接駆動させると好ましい。この場合、部品点数を可能な限り少なくすることができ、電磁アクチュエータの回転力をセット部材にダイレクトに伝えることができる。
【００１２】
【発明の実施の形態】
以下、図面と共に本発明によるカメラ用フォーカルプレンシャッタの好適な実施形態について詳細に説明する。
【００１３】
図１は、本発明に係るカメラ用フォーカルプレンシャッタを示す分解斜視図である。同図に示すフォーカルプレンシャッタ１は、ユニット化されてカメラに組み込まれるものであり、複数枚の先羽根２からなる先羽根群３と複数枚の後羽根４からなる後羽根群５とを有している。また、先羽根群３及び後羽根群５は、シャッタ地板６に配され、符号を付さないカバー板で覆われるようにして収容され、シャッタ地板６に設けられた矩形の撮影用開口７は、先羽根群３及び後羽根群５によって開放／閉鎖する。
【００１４】
図２及び図３に示すように、シャッタ１には、シャッタ駆動機構８が一体に組み込まれており、このシャッタ駆動機構８は、シャッタ地板６の表面に立設させたシャフト９を中心に回動する先羽根駆動部材１０と、シャッタ地板６の表面に立設させたシャフト１１を中心に回動する後羽根駆動部材１２と、シャッタ地板６の表面に立設させたシャフト１３を中心に回動するセット部材１４とを有している。
【００１５】
そして、先羽根駆動部材１０は、巻バネ１５によって時計回りの方向（矢印Ａ方向）に付勢され、後羽根駆動部材１２も同様に巻バネ１６によって時計回りの方向（矢印Ｃ方向）に付勢されている。また、シャフト９及び１１には、巻バネ１５及び１６の巻力を調整するための調整ギア１７及び１８が取り付けられている。シャッタ地板６には、先羽根駆動部材１０から突出させた駆動ピン１０ａをガイドするための円弧状のスロット１９が設けられている。同様に、シャッタ地板６には、後羽根駆動部材１２から突出させた駆動ピン１２ａをガイドするための円弧状のスロット２０が設けられている。
【００１６】
なお、図示しないが、スロット１９に差し込まれた駆動ピン１０ａは、所定のリンクを介して先羽根群３に連結され、スロット２０に差し込まれた駆動ピン１２ａは、所定のリンクを介して後羽根群５に連結されている。従って、駆動ピン１０ａ及び１２ａの往復回動によって先羽根群３及び後羽根群５が開閉動作させることになる。
【００１７】
更に、シャッタ駆動機構８は、シャッタ地板６の表面に立設させたシャフト２１を中心に回動する第１の係止部材２２と、シャッタ地板６の表面に立設させたシャフト２３を中心に回動する第２の係止部材２４とを有している。また、第１の係止部材２２は、巻バネ２５によって反時計回り方向（矢印Ｂ方向）に付勢され、第２の係止部材２４も、巻バネ２６によって反時計回り方向（矢印Ｄ方向）に付勢されている。そして、シャッタ駆動機構８は、各構成部品を保護するように、蓋板２７とシャッタ地板６との間で形成される空間内に収容されている。
【００１８】
ここで、図２および図３に示すように、先羽根群３は、セット部材１４の回動に基づいて、先羽根駆動部材１０と第１の係止部材２２との協働により開閉動作を行っている。セット部材１４には、セット方向（矢印Ｓ方向）に回動する際、矢印Ａ方向に付勢された先羽根駆動部材１０の作動部１０Ａに係合して、先羽根駆動部材１０をセット位置に復帰させる第１の脚部１４Ａが突出形成されている。
【００１９】
更に、先羽根駆動部材１０には、矢印Ｂ方向に付勢させた第１の係止部材２２の係止部２２Ａに係止させる被係止部１０Ｂが設けられている。そして、先羽根駆動部材１０において、作動部１０Ａと被係止部１０Ｂとは回転軸９を中心としてその両側に配置され、部材１０がセット位置に復帰する際には、被係止部１０Ｂと係止部２２Ａとが係合することになる。
【００２０】
従って、セット部材１４がセット方向Ｓに回動する場合、第１の脚部１４Ａと作動部１０Ａとの協働により、先羽根駆動部材１０の被係止部１０Ｂは、バネ力に抗してセット位置に復帰すると同時に、被係止部１０Ｂと係止部２２Ａとの協働により、先羽根駆動部材１０は、セット位置に保持されることになる。また、セット部材１４が、セット解除方向Ｐに逆転する場合、第１の脚部１４Ａが、係止部２２Ａを蹴ることになる。このとき、第１の脚部１４Ａと第１の係止部材２２とを当接させつつ、被係止部１０Ｂの係止が外され、先羽根駆動部材１０の被係止部１０Ｂは、バネ力によって矢印Ｅ方向に回動することになる（図４参照）。その結果、先羽根群３によって開口７が閉じられた状態から駆動ピン１０ａが回動して、先羽根群３が畳まれることになる。
【００２１】
図３に示すように、後羽根群５は、セット部材１４の回動に基づいて、後羽根駆動部材１２と第２の係止部材２４との協働により開閉動作を行っている。セット部材１４には、セット方向（矢印Ｓ方向）に回動する際、矢印Ｃ方向に付勢された後羽根駆動部材１２の作動部１２Ａに係合して、後羽根駆動部材１２をセット位置に復帰させる第２の脚部１４Ｂが突出形成されている。
【００２２】
更に、後羽根駆動部材１２には、矢印Ｄ方向に付勢させた第２の係止部材２４の係止部２４Ａに係止させる被係止部１２Ｂが設けられている。そして、後羽根駆動部材１２において、作動部１２Ａはセット部材１４に向けて突出し、被係止部１２Ｂは、第２の係止部材２４に向けて突出しており、部材１２がセット位置に復帰する際には、被係止部１２Ｂと係止部２４Ａとが係合することになる。
【００２３】
また、第２の係止部材２４には、セット部材１４に向けて突出する係止解除レバー２４Ｂが突出し、セット部材１４には、矢印Ｐ方向への回動時に、係止解除レバー２４Ｂを蹴るための第３の脚部１４Ｃが突出して設けられている。そして、第３の脚部１４Ｃと第２の脚部１４Ｂは、所定の間隔をもって離間させている。具体的には、この第３の脚部１４Ｃは、第１の脚部１４Ａが第１の係止部材２２を蹴った後に第２の係止部材２４の係止解除レバー２４Ｂに当接させるような位置に設けられている（図４参照）。なお、この状態では、第３の脚部１４Ｃは係止解除レバー２４Ｂをまだ蹴っていない。
【００２４】
そこで、セット部材１４がセット方向Ｓに向けて回動する場合、第２の脚部１４Ｂと作動部１２Ａとの協働により、後羽根駆動部材１２の被係止部１２Ｂは、バネ力に抗してセット位置に復帰すると同時に、被係止部１２Ｂと係止部２４Ａとの協働により、後羽根駆動部材１２は、セット位置に保持されることになる。また、セット部材１４が、セット解除方向Ｐに逆転する場合、第３の脚部１４Ｃが係止解除レバー２４Ｂを蹴ることになる。このとき、第３の脚部１４Ｃと第２の係止部材２４とを当接させつつ、被係止部１２Ｂの係止が外され、後羽根駆動部材１２は、バネ力によって矢印Ｆ方向に回動することになる（図５参照）。その結果、後羽根群５が畳まれた状態から駆動ピン１２ａが回動して、後羽根群５によって開口７が閉じられることになる。
【００２５】
このように、先羽根群３及び後羽根群５の開閉動作及びセット動作は、セット部材１４の正逆転によって達成される。そこで、セット部材１４を、電磁アクチュエータの一例であるモータ３０によって回動させる。このモータ３０は、伝達手段としての複数の歯車列３１によってセット部材１４に連結されている。具体的に、セット部材１４には、同心上に位置するギア部３２が一体に設けられ、モータ３０の回転軸には駆動ギア３３が設けられ、ギア部３２と駆動ギア３３は中間歯車３４に連結されている。
【００２６】
従って、モータ３０の回転軸が正転している場合には、セット部材１４はセット方向Ｓに回転し、モータ３０の回転軸が逆転している場合には、セット部材１４は、セット解除方向Ｐに回転することになる。また、モータ３０は、シャッタ地板６の一部をなす蓋板２７にビス３５を介して固定されている。そして、蓋板２７には、モータ３０の逆転時において、モータ３０への通電を制御する制御回路４０が組み込まれている。この制御回路４０は、第１の係止部材２２による係止状態を解除させる時機と、第２の係止部材２４による係止状態を解除させる時機とを変化させるものである。
【００２７】
すなわち、制御回路４０でモータ３０の逆転をパルス制御することで、タイミングを計りながら、第１の脚部１４Ａが第１の係止部材２２を蹴る時機と、第３の脚部１４Ｃが第２の係止部材２４を蹴る時機とを調整することができる。このように、電磁アクチュエータ（例えばモータ３０）をセット部材１４の駆動源として採用する結果、先羽根２と後羽根４との協働によるスリット露光を適切に達成させることができ、制御回路４０によって、第１の係止部材２２による係止解除時機と第２の係止部材２４による係止解除時機とを適宜に変更することが可能になる。よって、電磁アクチュエータ３０の利用は、シャッタ１の汎用性の向上に貢献することになる。
【００２８】
次に、前述のフォーカルプレンシャッタ１の動作について簡単に説明する。図３に示すように、先羽根駆動部材１０及び後羽根駆動部材１２がセット位置に保持されている場合には、先羽根群３が広げられて開口７が閉鎖されている。このとき、後羽根群５は畳まれている。その後、図４に示すように、モータ３０の駆動によって、セット部材１４をセット解除方向Ｐに回動させることで、第１の脚部１４Ａによって第１の係止部材２２を蹴り、先羽根駆動部材１０と第１の係止部材２２との係止状態が解除され、バネ力によって先羽根駆動部材１０が回動し、先羽根群３が畳まれるようになる。
【００２９】
そして、制御回路４０に基づき、所定の時間経過後にモータ３０が再駆動して、セット部材１４をセット解除方向Ｐに更に回動させることで、図５に示すように、第３の脚部１４Ｃが第２の係止部材２４を蹴り、後羽根駆動部材１２と第２の係止部材２４との係止が解除され、バネ力によって後羽根駆動部材１２が回動し、後羽根群４は広げられることになる。その結果、開口７は、後羽根群４によって閉鎖されて、一連のシャッタ動作は終了する。
【００３０】
その後、次のシャッタ動作に備えるため、モータ３０の反転によって、セット部材１４はセット方向Ｓに回動し、第１の脚部１４Ａを利用して、先羽根駆動部材１０を第１の係止部材２２に係止させることで、先羽根駆動部材１０をセット状態に待機させる。同様に、第２の脚部１４Ｂを利用して、後羽根駆動部材１２を第２の係止部材２４に係止させることで、後羽根駆動部材１２をセット状態に待機させる。
【００３１】
本発明に係るフォーカルプレンシャッタは、前述した実施形態に限定されるものではなく、例えば、図６に示すように、電磁アクチュエータとしてのモータ３０とセット部材１４との間の連結は、歯車列４２とウォーム４３との組み合わせからなる伝達手段４１によって達成させている。このような手段４１を採用することで、セット部材１４から離れた場所に電磁アクチュエータ３０を配置させることができるので、電磁アクチュエータ３０をシャッタ地板６に対して固定させる際、シャッタ地板６上での空きスペースを有効に活用することができ、シャッタ１自体の小型化に寄与するものである。さらに、歯車列４２を利用することで、セット部材１４の回転速度の設定を容易に変更することができる。
【００３２】
また、図７に示すように、電磁アクチュエータ３０で、セット部材１４の回転軸４５を直接駆動させるようにすることもできる。この場合、モータ３０の駆動軸４６とセット部材１４の回転軸４５とを同心上で連結させ、セット部材１４のダイレクトドライブを実現している。これは、部品点数を少なくする場合に有効である。
【００３４】
【発明の効果】
本発明に係るフォーカルプレンシャッタは、撮影用開口を有するシャッタ地板と、開口を開閉する先羽根群と後羽根群と、各羽根群を駆動させる先羽根駆動部材と後羽根駆動部材と、各羽根駆動部材をセット位置で保持させるように係止する第１及び第２の係止部材と、第１及び第２の係止部材で各羽根駆動部材を係止させる方向に移動すると共に、第１及び第２の係止部材の係止状態を解除させる方向に移動するセット部材と、シャッタ地板に対して固定されて、正転時にセット部材をセットする方向に移動させ、逆転時にセット部材のセットを解除する方向に移動させる電磁アクチュエータとを含んでいることにより
、カメラに組み込み易いカメラ用フォーカルプレンシャッタが可能となる。
【図面の簡単な説明】
【図１】  本発明に係るカメラ用フォーカルプレンシャッタの一実施形態を示す斜視図である。
【図２】  本発明に係るフォーカルプレンシャッタの要部を示す分解斜視図である。
【図３】  先羽根駆動部材及び後羽根駆動部材のセット状態を示す平面図である。
【図４】  先羽根駆動部材のセット解除状態を示す平面図である。
【図５】  後羽根駆動部材のセット解除状態を示す平面図である。
【図６】  本発明に係るフォーカルプレンシャッタの他の実施形態を示した平面図である。
【図７】  本発明に係るフォーカルプレンシャッタの更に他の実施形態を示した平面図である。
【符号の説明】
１…フォーカルプレンシャッタ、
３…先羽根群、
５…後羽根群、
６…シャッタ地板、
７…撮影用開口、
１０…先羽根駆動部材、
１２…後羽根駆動部材、
１４…セット部材、
２２…第１の係止部材、
２４…第２の係止部材、
３０…モータ（電磁アクチュエータ）、
３１…伝達手段、
４０…制御回路、
４１…伝達手段、
４５…回転軸。
【図１】
0004317284.tif 000002
【図２】
0004317284.tif 000003
【図３】
0004317284.tif 000004
【図４】
0004317284.tif 000005
【図５】
0004317284.tif 000006
【図６】
0004317284.tif 000007
【図７】
0004317284.tif 000008